(57)【要約】      （修正有）【課題】一枚のシートから形成することができ、組み立てが容易で、底部の形状が平面でない物も安定して収容することができ、緩衝効果も高い組立式紙器を提供する。【解決手段】外側側壁部５と、上記外側側壁部に連設された底部１１と、上記底部に連設された緩衝部１５と、上記緩衝部に連設された内側側壁部１９と、を具備し、上記外側側壁部と上記底部との間に形成された折り曲げ線を介して、上記底部及び上記緩衝部及び上記内側側壁部を上記外側側壁部側に折り曲げ、上記折り曲げた状態の上記外側側壁部及び上記底部及び上記緩衝部及び上記内側側壁部を屈曲させて容器状としてその両端を接合させ、上記底部及び上記緩衝部及び上記内側側壁部を押し込み、上記緩衝部と上記底部との間に空間が形成されるように組み立てられるもの。【選択図】図１
0003162463.tif 000002
【実用新案登録請求の範囲】
【請求項１】
外側側壁部と、上記外側側壁部に連設された底部と、上記底部に連設された緩衝部と、上記緩衝部に連設された内側側壁部と、を具備し、
上記外側側壁部と上記底部との間に形成されたヒンジを介して、上記底部及び上記緩衝部及び上記内側側壁部を上記外側側壁部側に折り曲げ、
上記折り曲げた状態の上記外側側壁部及び上記底部及び上記緩衝部及び上記内側側壁部を折り曲げて容器状としてその両端を接合させ、
上記底部及び上記緩衝部及び上記内側側壁部を上記外側側壁部によって容器状に形成された部分に押し込み、
それによって、上記緩衝部と上記底部との間に空間が形成される状態で組み立てられることを特徴とする組立式紙器。
【請求項２】
請求項１記載の組立式紙器において、
上記緩衝部は組立時に上記底部側に向かって先窄まりの状態で組み立てられることを特徴とする組立式紙器。
【請求項３】
請求項１又は請求項２記載の組立式紙器において、
上記外側側壁部及び上記底部及び上記緩衝部及び上記内側側壁部は多角形の組立式紙器を構成するべく該多角形の各辺に対応する複数の要素片をそれぞれ備えていて、
上記底部及び緩衝部は上記押し込み時の相互の干渉を避けるべく上記複数の要素片相互間又は端に切欠部を備えていることを特徴とする組立式紙器。
【請求項４】
請求項１〜請求項３の何れかに記載の組立式紙器において、
上記外側側壁部の上記底部の反対側にはフラップと蓋部が連設されていることを特徴とする組立式紙器。
【請求項５】
請求項４記載の組立式紙器において、
上記蓋部にはタックが連設されていて、一方、上記内側側壁部側には、組み立て後に上記タックの差し込みを許容する切欠部が設けられていることを特徴とする組立式紙器。
【請求項６】
請求項５記載の組立式紙器において、
上記タックと蓋部との境界のヒンジには切り込みが設けられていて、該切込みを介して蓋部を開放する際に使用するリップが形成されていることを特徴とする組立式紙器。
【考案の詳細な説明】
【技術分野】
【０００１】
本考案は、内容物を外力や衝撃から保護する緩衝機能を有する組立式紙器に係り、特に、一枚のシートから形成することができ、組み立てが容易で、底部の形状が平面ではない内容物についてもこれを安定して収容することができ、且つ、高い緩衝機能を提供することができるように工夫したものに関する。
【背景技術】
【０００２】
従来の緩衝機能を有する組立式紙器としては、例えば、特許文献１乃至特許文献３に開示されているようなものがある。
【先行技術文献】
【特許文献】
【０００３】
【特許文献１】特開２００８−１５５９７８号公報
【特許文献２】特開平１０−１０１０５８号公報
【特許文献３】特開平８−５３１２５号公報
【考案の概要】
【考案が解決しようとする課題】
【０００４】
上記従来の構成によると、次のような問題があった。
まず、特許文献１に記載された発明による包装箱は、構成が複雑であって組立に多くの労力を要してしまうという問題があった。又、内容物としてのバイアルの底部が載置される内底の上壁部が底部フラップと平行であるため、底部の形状が平らではないバイアルを収容する場合これを安定した状態で収容することができないという問題があった。又、内底の上壁部と底部フラップを接続する内壁部は、上壁部及び底部フラップに垂直であるため、衝撃を緩衝する効果が弱いという問題もあった。
次に、特許文献２に記載された発明による緩衝機能付箱の場合には、箱内の底辺が直交する２方向からのみ支えられているため安定性が悪いという問題があった。
さらに、特許文献３に記載された発明による包装箱では、外箱とは別に内箱を用意しなければならないため、構成が複雑であって組立にも多くの労力を要してしまうという問題があった。
【０００５】
本願考案はこのような点に基づいてなされたもので、その目的とするところは、一枚のシートから形成することができ、組み立てが容易であって底部の形状が平らでは内容物についてもこれを安定して収容することができ、且つ、高い緩衝機能を提供することができる組立式紙器を提供することにある。
【課題を解決するための手段】
【０００６】
上記課題を解決するべく請求項１記載の組立式紙器は、外側側壁部と、上記外側側壁部に連設された底部と、上記底部に連設された緩衝部と、上記緩衝部に連設された内側側壁部と、を具備し、上記外側側壁部と上記底部との間に形成されたヒンジを介して、上記底部及び上記緩衝部及び上記内側側壁部を上記外側側壁部側に折り曲げ、上記折り曲げた状態の上記外側側壁部及び上記底部及び上記緩衝部及び上記内側側壁部を折り曲げて容器状としてその両端を接合させ、上記底部及び上記緩衝部及び上記内側側壁部を上記外側側壁部によって容器状に形成された部分に押し込み、それによって、上記緩衝部と上記底部との間に空間が形成される状態で組み立てられることを特徴とするものである。
又、請求項２記載の組立式紙器は、請求項１記載の組立式紙器において、上記緩衝部は組立時に上記底部側に向かって先窄まりの状態で組み立てられることを特徴とするものである。
又、請求項３記載の組立式紙器は、請求項１又は請求項２記載の組立式紙器において、上記外側側壁部及び上記底部及び上記緩衝部及び上記内側側壁部は多角形の組立式紙器を構成するべく該多角形の各辺に対応する複数の要素片をそれぞれ備えていて、上記底部及び緩衝部は上記押し込み時の相互の干渉を避けるべく上記複数の要素片相互間又は端に切欠部を備えていることを特徴とするものである。
又、請求項４記載の組立式紙器は、請求項１〜請求項３の何れかに記載の組立式紙器において、上記外側側壁部の上記底部の反対側にはフラップと蓋部が連設されていることを特徴とするものである。
又、請求項５記載の組立式紙器は、請求項４記載の組立式紙器において、上記蓋部にはタックが連設されていて、一方、上記内側側壁部側には、組み立て後に上記タックの差し込みを許容する切欠部が設けられていることを特徴とするものである。
又、請求項６記載の組立式紙器は、請求項５記載の組立式紙器において、上記タックと蓋部との境界のヒンジには切り込みが設けられていて、該切込みを介して蓋部を開放する際に使用するリップが形成されていることを特徴とするものである。
【考案の効果】
【０００７】
以上述べたように、請求項１記載の考案による組立式紙器によると、外側側壁部と、上記外側側壁部に連設された底部と、上記底部に連設された緩衝部と、上記緩衝部に連設された内側側壁部とを具備しているため、一枚の紙板を折り曲げることにより所望の紙器を容易に組み立てることができる。
又、請求項１記載の組立式紙器によると、外側側壁部と内側側壁部を備えた２重構造となっており、丈夫なため、内容物を外力から保護することができる。
又、請求項１記載の組立式紙器によると、緩衝部と底部との間に空間が形成されるように組み立てられるため、上記緩衝部と上記底部による２重構造及び上記緩衝部と上記底部との間の空間によって、内容物を外力や衝撃から保護することができる。
又、請求項２記載の組立式紙器によると、上記緩衝部は上記底部に向かって先窄まりの状態で設けられているため、底が平らでない内容物でも安定して収納することができ、且つ、外力や衝撃から保護することができる。
又、請求項３記載の組立式紙器によると、上記外側側壁部及び上記底部及び上記緩衝部及び上記内側側壁部は多角形の組立式紙器を構成するべく該多角形の各辺に対応する複数の要素片をそれぞれ備えていて、上記底部及び緩衝部においては、押し込み時の干渉を避けるべく上記複数の要素片相互間又は端に切欠き部を備えているので、組み立て時に上記底部及び上記緩衝部及び上記内側側壁部を押し込む際、底部及び緩衝部の隣接する各要素片が相互に干渉することなく、所望の紙器を容易に組み立てることができる。
又、請求項４記載の組立式紙器によると、上記外側側壁部の上記底部の反対側にはフラップと蓋部が連設されているので、それらフラップと蓋部を含めた紙器を容易に組み立てることができる。
又、請求項５記載の組立式紙器によると、上記蓋部にはタックが連設されていて、一方、上記内側側壁部側には、組み立て後に上記タックの差し込みを許容する切欠部が設けられているので、組み立て後におけるタックの差し込みも容易である。
又、請求項６記載の組立式紙器によると、請求項５記載の組立式紙器において、上記タックと蓋部との境界のヒンジには切り込みが設けられていて、該切込みを介して蓋部を開放する際に使用するリップが形成されているので、組み立て後の蓋部の開放も容易である。
【図面の簡単な説明】
【０００８】
【図１】本願考案の一実施の形態を示す図で、組立式紙器を展開した紙板を示す平面図である。
【図２】本願考案の一実施の形態を示す図で、紙板を二つ折りにした状態を示す平面図である。
【図３】本願考案の一実施の形態を示す図で、緩衝部要素片及び底部要素片の重なり方、及び、外側側壁部、底部、緩衝部、内側側壁部の折り曲げ方向を説明するために組立式紙器を一部展開した状態を示す斜視図である。
【図４】本願考案の一実施の形態を示す図で、図３のＩＶ−ＩＶ断面図である。
【図５】本願考案の一実施の形態を示す図で、二つ折りにした紙板を折り曲げて筒状にした状態を示す斜視図である。
【図６】本願考案の一実施の形態を示す図で、内側側壁部と緩衝部と底部を押下げている状態を示す斜視図である。
【図７】本願考案の一実施の形態を示す図で、内側側壁部と緩衝部と底部を押下げている状態を示す平面図である。
【図８】本願考案の一実施の形態を示す図で、内側側壁部と緩衝部と底部を目一杯押し下げた状態を示す斜視図である。
【図９】本願考案の一実施の形態を示す図で、内側側壁部と緩衝部と底部を目一杯押し下げた状態を示す平面図である。
【図１０】本願考案の一実施の形態を示す図で、蓋部を閉じた状態を示す斜視図である。
【考案を実施するための形態】
【０００９】
以下、図１乃至図１０を用いて、本願考案の一実施の形態を説明する。本実施の形態による組立式紙器１は、以下のような構成となっている。すなわち、上記組立式紙器１は、図１に示すように、予め所定の形状に加工された一枚の紙板３を所定の手順で折り畳んで適宜接着することによって組み立てられる。
【００１０】
まず、図１、図３及び図４を用いて、上記紙板３について説明する。図１に示すように、上記紙板３には外側側壁部５が形成されている。上記外側側壁部５は、４つの外側側壁部要素片５ａ、５ｂ、５ｃ、５ｄが連設された構成となっている。上記外側側壁部要素片５ｄの反外側側壁部要素片５ｃ側（図１中右側）には、のり代７が連設されている。又、上記外側側壁部要素片５ａと外側側壁部要素片５ｂの間にはヒンジ９ａが、上記外側側壁部要素片５ｂと外側側壁部要素片５ｃの間にはヒンジ９ｂが、上記外側側壁部要素片５ｃと外側側壁部要素片５ｄの間にはヒンジ９ｃがそれぞれ形成されている。又、上記外側側壁部要素片５ｄと上記のり代７との間には、ヒンジ９ｄが形成されている。
尚、上記ヒンジ９ａ〜９ｄをはじめとする本実施の形態における全てのヒンジは、組み立て時に折り曲げ線として機能するものである。
【００１１】
上記外側側壁部５の図１中下端側には、底部１１が連設されている。上記底部１１は、底部要素片１１ａ、底部要素片１１ｂ、底部要素片１１ｃ、底部要素片１１ｄから構成されている。上記底部要素片１１ａ、１１ｂ、１１ｃ、１１ｄには、それぞれ、図１に示すように、段付部１２ａ、１２ｂ、１２ｃ、１２ｄが設けられている。上記底部要素片１１ａは上記外側側壁部要素片５ａに連設され、上記底部要素片１１ｂは上記外側側壁部要素片５ｂに連設され、上記底部要素片１１ｃは上記外側側壁部要素片５ｃに連設され、上記底部要素片１１ｄは上記外側側壁部要素片５ｄに連設されている。
但し、上記底部要素片１１ａ、１１ｂ、１１ｃ、１１ｄ同士は連設されていない構成になっている。
【００１２】
上記外側側壁部要素片５ａと上記底部要素片１１ａの境界にはヒンジ１３ａが、上記外側側壁部要素片５ｂと上記底部要素片１１ｂの境界にはヒンジ１３ｂが、上記外側側壁部要素片５ｃと上記底部要素片１１ｃの境界にはヒンジ１３ｃが、上記外側側壁部要素片５ｄと上記底部要素片１１ｄの境界にはヒンジ１３ｄがそれぞれ形成されている。
【００１３】
上記底部１１の反外側側壁部５側（図１中下側）の端には、緩衝部１５が連設されている。上記緩衝部１５は、緩衝部要素片１５ａ、緩衝部要素片１５ｂ、緩衝部要素片１５ｃ、緩衝部要素片１５ｄから構成されている。上記緩衝部要素片１５ａは上記底部要素片１１ａに連設され、上記緩衝部要素片１５ｂは上記底部要素片１１ｂに連設され、上記緩衝部要素片１５ｃは上記底部要素片１１ｃに連設され、上記緩衝部要素片１５ｄは上記底部要素片１１ｄに連設されている。
但し、上記緩衝部要素片１５ａ、１５ｂ、１５ｃ、１５ｄ同士は連設されていない構成になっている。
【００１４】
上記緩衝部要素片１５ａと上記底部要素片１１ａの境界にはヒンジ１７ａが、上記緩衝部要素片１５ｂと上記底部要素片１１ｂの境界にはヒンジ１７ｂが、上記緩衝部要素片１５ｃと上記底部要素片１１ｃの境界にはヒンジ１７ｃが、上記緩衝部要素片１５ｄと上記底部要素片１１ｄの境界にはヒンジ１７ｄがそれぞれ形成されている。
【００１５】
上記底部要素片１１ａと上記緩衝部要素片１５ａの図１中左側には切欠部１６ａが形成されている。又、上記底部要素片１１ａと上記緩衝部要素片１５ａの図１中右側には切欠部１６ｂが形成されている。又、上記底部要素片１１ｂと上記緩衝部要素片１５ｂの図１中左側には切欠部１６ｃが形成されている。又、上記底部要素片１１ｂと上記緩衝部要素片１５ｂの図１中右側には切欠部１６ｄが形成されている。
【００１６】
又、上記底部要素片１１ｃと上記緩衝部要素片１５ｃの図１中左側には切欠部１６ｅが形成されている。又、上記底部要素片１１ｃと上記緩衝部要素片１５ｃの図１中右側には切欠部１６ｆが形成されている。又、上記底部要素片１１ｄと上記緩衝部要素片１５ｄの図１中左側には切欠部１６ｇが形成されている。又、上記底部要素片１１ｄと上記緩衝部要素片１５ｄの図１中右側には切欠部１６ｈが形成されている。
尚、既に説明した段付部１２ａ、１２ｂ、１２ｃ、１２ｄは、上記切欠部１６ａ、１６ｃ、１６ｅ、１９ｇにそれぞれ形成されたものである。
【００１７】
上記緩衝部１５の反底部１１側（図１中下側）の端には内側側壁部１９が連設されている。上記内側側壁部１９は、内側側壁部要素片１９ａ、１９ｂ、１９ｃ、１９ｄから構成されている。上記内側側壁部要素片１９ａは上記緩衝部要素片１５ａと、上記内側側壁部要素片１９ｂは上記緩衝部要素片１５ｂと、上記内側側壁部要素片１９ｃは上記緩衝部要素片１５ｃと、上記内側側壁部要素片１９ｄは上記緩衝部要素片１５ｄとそれぞれミシン目状に連設されている。又、上記内側側壁部要素片１９ａ、上記内側側壁部要素片１９ｂ、上記内側側壁部要素片１９ｃ及び上記内側側壁部要素片１９ｄは、この順番でミシン目状に連設されている。
【００１８】
上記緩衝部要素片１５ａと上記内側側壁部要素片１９ａの境界にはヒンジ２１ａが、上記緩衝部要素片１５ｂと上記内側側壁部要素片１９ｂの境界にはヒンジ２１ｂが、上記緩衝部要素片１５ｃと上記内側側壁部要素片１９ｃの境界にはヒンジ２１ｃが、上記緩衝部要素片１５ｄと上記内側側壁部要素片１９ｄの境界にはヒンジ２１ｄがそれぞれ形成されている。上記ヒンジ２１ａ上には、上記紙板３を貫通して切り込み２３ａ、２３ａ、２３ａが設けられている。又、同様に、上記ヒンジ２１ｂ上には切り込み２３ｂ、２３ｂ、２３ｂが、上記ヒンジ２１ｃ上には切り込み２３ｃ、２３ｃ、２３ｃが、上記ヒンジ２１ｄ上には切り込み２３ｄ、２３ｄ、２３ｄがそれぞれ設けられている。その結果、上記ヒンジ２１ａ、２１ｂ、２１ｃ、２１ｄは、既に説明したように、ミシン目状のヒンジとなっている。
【００１９】
上記内側側壁部要素片１９ａと上記内側側壁部要素片１９ｂの境界にはヒンジ２５ａが、上記内側側壁部要素片１９ｂと上記内側側壁部要素片１９ｃの境界にはヒンジ２５ｂが、上記内側側壁部要素片１９ｃと上記内側側壁部要素片１９ｄの境界にはヒンジ２５ｃがそれぞれミシン目状に形成されている。上記ヒンジ２５ａ上には、上記紙板３を貫通して切り込み２７ａ、２７ａが設けられている。また、同様に、上記ヒンジ２５ｂ上には切り込み２７ｂ、２７ｂが、上記ヒンジ２５ｃ上には切り込み２７ｃが設けられている。その結果、上記ヒンジ２５ａ、２５ｂ、２５ｃは、ミシン目付きのヒンジとなっている。
【００２０】
上記内側側壁部要素片１９ａの反内側側壁部要素片１９ｂ側（図１中左側）端部の反緩衝部要素片１５ａ側（図１中下側）は切り欠かれており、切欠部２９が形成されている。上記内側側壁部要素片１９ａの反内側側壁部要素片１９ｂ側（図１中左側）端部の緩衝部要素片１５ａ側（図１中上側）には、小フラップ３１が連設されている。上記内側側壁部要素片１９ａと上記小フラップ３１の境界にはヒンジ３２が形成されている。
【００２１】
上記内側側壁部要素片１９ｂは、図１中上下方向の長さが、上記内側側壁部要素片１９ａと同じで、長方形の平面形状をなしている。上記内側側壁部要素片１９ｃも、図１中上下方向の長さが上記内側側壁部要素片１９ａと同じであり、反内側側壁部要素片１９ｂ側（図１中右側）端部の反緩衝部要素片１５ｃ側（図１中下側）が切り欠かれていて、切欠部３３が形成されている。
【００２２】
上記内側側壁部要素片１９ｄの反内側側壁部要素片１９ｃ側（図１中右側）端部には切欠部３５が形成されている。この切欠部３５は、既に説明した小フラップ３１に対応する形状となっている。
【００２３】
上記外側側壁部要素片５ａの反底部要素片１１ａ側（図１中上側）には、大フラップ３７が連設されている。上記大フラップ３７の反外側側壁部要素片５ｂ側の一辺の外側側壁部要素片５ａ側（図１中下側）には、段付部３９が設けられている。上記大フラップの図１中左右方向の幅は、上記段付部３９を境にして、外側側壁部要素片５ａ側よりも反外側側壁部要素片５ａ側の方が狭くなっている。又、上記外側側壁部要素片５ａと上記大フラップ３７の境界には、ヒンジ４１が形成されている。
【００２４】
上記外側側壁部要素片５ｂの反底部要素片１１ｂ側（図１中上側）には、蓋部４３が連設されている。上記蓋部４３と上記外側側壁部要素片５ｂの境界にはヒンジ４５が形成されている。上記蓋部４３の反外側側壁部要素片５ｂ側（図１中上側）には、タック４７が連設されている。上記タック４７と上記蓋部４３の境界にはヒンジ４９が形成されている。又、このヒンジ４９の中央部に、図１中左右方向に引き伸ばした略逆Ｕ字型の切れ込み５０を入れることによって、リップ５１が形成されている。
【００２５】
上記外側側壁部要素片５ｃの反底部要素片１１ｃ側（図１中上側）には、大フラップ５３が連設されている。上記大フラップ５３も、上記大フラップ３７と同様の形状・大きさで、反蓋部４３側（図１中右側）の一辺には、段付部５５が設けられている。上記大フラップ５３と上記外側側壁部要素片５ｃとの境界には、ヒンジ５７が形成されている。
【００２６】
上記ヒンジ４９、４５、１３ｂ、１７ｂ、２１ｂは、図３及び図４に示す方向に折り曲げ易いよう、予め形成されているものである。
上記ヒンジ１７ａ、１７ｃ、１７ｄは、上記ヒンジ１７ｂと同じ方向に折れ曲がるように予め形成されている。上記ヒンジ１３ａ、１３ｃ、１３ｄは、上記ヒンジ１３ｂと同じ方向に折れ曲がるように予め形成されている。上記ヒンジ２１ａ、２１ｃ、２１ｄは、上記ヒンジ２１ｂと、同じ方向に折れ曲がるように予め形成されている。
【００２７】
次に、図１乃至図１０を用いて、本実施の形態による組立式紙器の組立手順について説明する。
まず、図１に示した紙板３を、ヒンジ１３ａ、１３ｂ、１３ｃ、１３ｄを介して折り曲げ、図２に示すような状態にする。すなわち、底部１１、緩衝部１５、内側側壁部１９を、上記ヒンジ１３ａ、１３ｂ、１３ｃ、１３ｄを介して、上記外側側壁部５側に折り曲げて、上記紙板３を二つ折りにする。
【００２８】
次に、上記紙板３を、ヒンジ９ａ、９ｂ、９ｃ、９ｄを介して折り曲げ、図５に示すような筒状とする。その際、のり代７の図１中裏側には予め糊や接着剤を塗布しておき、上記のり代７を外側側壁部要素片５ａの反外側側壁部要素片５ｂ側（図１中左側）端部の内側に貼付・固定する。
【００２９】
次に、図６に示すように、大フラップ３７及び大フラップ５３を外側に倒し（そのままでも良いが倒した方がその後の作業の作業性が向上する。）、小フラップ３１を内側側壁部要素片１９ｄの切欠部３５側に折り曲げて上記内側内壁部要素片１９ｄと平行にして、上記内側側壁部１９及び上記緩衝部１５及び上記底部１１を図５中下方向に押し下げていく。その際、上記ヒンジ１３ａ、１３ｂ、１３ｃ、１３ｄ、ヒンジ１７ａ、１７ｂ、１７ｃ、１７ｄ、及びヒンジ２１ａ、２１ｂ、２１ｃ、２１ｄの作用により、図３に示すように、緩衝部要素片１５ａの上記ヒンジ１７ａ側（図３中右下側）端部が緩衝部要素片１５ｂの図３中下側に、底部要素片１１ａの上記ヒンジ１７ａ側（図３中右下側）端部が底部要素片１１ｂの図３中上側に重なるようになるのと同時に、緩衝部要素片１５ｂの上記ヒンジ１７ｂ側（図３中左下側）端部が緩衝部要素片１５ｃの図３中下側に、底部要素片１１ｂの上記ヒンジ１７ｂ側（図３中左下側）端部が底部要素片１１ｃの図３中上側に、緩衝部要素片１５ｃの上記ヒンジ１７ｃ側（図３中左下側）端部が緩衝部要素片１５ｄの図３中下側に、底部要素片１１ｃの上記ヒンジ１７ｃ側（図３中左下側）端部が底部要素片１１ｄの図３中上側に、緩衝部要素片１５ｄの上記ヒンジ１７ｄ側（図３中左下側）端部が緩衝部要素片１５ａの図３中下側に、底部要素片１１ｄの上記ヒンジ１７ｄ側（図３中左下側）端部が底部要素片１１ａの図３中上側に重なるようにして、上記紙板３が折れ曲がっている。
尚、図３は上記作用の理解を容易にするために、底部１１と緩衝部１５を折り曲げた状態で展開した斜視図であり、図４は図３のＶＩ−ＶＩ断面図である。
上記緩衝部要素片１５ａ等の重ね合わせの様子を上側から見ると図７のようになっている。この時、上記緩衝部要素片１５ａ、１５ｂ、１５ｃ、１５ｄによって囲まれた空間及び上記底部要素片１１ａ、１１ｂ、１１ｃ、１１ｄによって囲まれた空間による貫通孔５９が大きく開いており、上記緩衝部１５及び上記底部１１は完全に折り曲げられた状態には至っていない。
【００３０】
上記内側側壁部１９を、その上端部（図６中上側端部）が外側側壁部５の上端部（図６中上側端部）と同じ高さになるまで押し下げると、上記内側側壁部１９が上記外側側壁部５と当接し、図８に示すような状態となる。この状態の上記紙器１を上側から見ると、図９に示すようになる。この状態では上記貫通孔５９は小さくなっており、上記緩衝部要素片１５ａの切欠部１６ａが上記緩衝部要素片１５ｄに当接し、上記緩衝部要素片１５ｂの切欠部１６ｃが上記緩衝部要素片１５ａに当接し、上記緩衝部要素片１５ｃの切欠部１６ｅが上記緩衝部要素片１５ｂに当接し、上記緩衝部要素片１５ｄの切欠部１６ｇが上記緩衝部要素片１５ｃに当接することで、上記外側側壁部の内側に上記緩衝部１５が形成されている。また、上記底部要素片１１ａ、１１ｂ、１１ｃ、１１ｄに形成された段付部１２ａ、１２ｂ、１２ｃ、１２ｄが係合され、上記緩衝部１５の下側に上記底部１１が形成されている。
【００３１】
続いて、上記大フラップ３７及び上記大フラップ５３を内側に倒す。その後、タック４７をヒンジ４９によって図８中左手前側に折り曲げて、蓋部４３を図８中左手前側に倒す。そして、図１０に示すように、上記タック４７を上記大フラップ３７及び上記大フラップ５３と外側側壁部要素片５ｄとの間に挿入する。
以上の組み立て手順により、図１０に示すような上記組立式紙器１が完成する。
【００３２】
次に、図８乃至図１０を用いて、組み立てられた組立式紙器１の構成を確認してみる。
まず、組立式紙器１は、図１０に示すような略立方体状の形状を成している。外側の側面は外側側壁部要素片５ａ、５ｂ、５ｃ、５ｄが連設された外側側壁部５である。上記組立式紙器１の外側の底は底部１１となっている。
上記底部１１は、底部要素片１１ａ、１１ｂ、１１ｃ、１１ｄが、その段付部１２ａ、１２ｂ、１２ｃ、１２ｄを係合させて、平面状に組み合わされているものである。
【００３３】
上記組立式紙器１の図１０中上側の面には、蓋部４３が設けられている。上記蓋部４３は、その基端部において上記外側側壁部要素片５ｂと連設されており、上記蓋部４３の先端にはタック４７が連設されている。なお、上記タック４７は、上記外側側壁部５の内側に挿入されているため、図１０中では図示されていない。
【００３４】
又、上記蓋部４３の先端にはリップ５１が形成されている。上記リップ５１に指を引っかけること等により上記タック４７を引き出すと共に上記蓋部４３を持ち上げると、上記蓋部４３の下から、上記外側側壁部要素片５ａに連設された大フラップ３７、及び上記外側側壁部要素片５ｃに連設された大フラップ５３が現れる。上記蓋部４３及び上記大フラップ３７及び上記大フラップ５３を開くと、図８及び図９に示すように、上記組み立て式紙器１の開口部を開いた状態となり、上記組立式紙器１内部への内容物の収納及び上記組立式紙器１内部から内容物の取り出しを行うことができる。
【００３５】
上記外側側壁部５の反底部１１側（図８中上側）の内側には、内側側壁部１９が当接している。上記内側内壁部１９を構成する内側内壁部要素片１９ａ、内側内壁部要素片１９ａ、内側内壁部要素片１９ａ、内側内壁部要素片１９ｄの内、内側側壁部要素片１９ｄの図８中上側の端部が上記組立式紙器１の開口部の縁よりも低くなっている。そのため、上記蓋部４３によって上記組み立て式紙器１の開口部が閉じられ上記タック４７が上記外側側壁部５の内側に挿入された際、上記内側側壁部要素片１９ｄの図８中上側の空間に上記タック４７が収められることになる。上記内側側壁部１９の上記底部１１側（図８中下側）には、緩衝部１５が連設されている。上記緩衝部１５は上記底部１１に連設されている。
【００３６】
上記緩衝部１５は、上記底部１１側（図８中下側）に向かって傾斜した緩衝部要素片１５ａ、１５ｂ、１５ｃ、１５ｄから構成されており、上記底部１１側（図８中下側）に向かって先窄まりとなった形状をなしている。上記緩衝部要素片１５ａ、１５ｂ、１５ｃ、１５ｄの傾斜角度は、上記緩衝部１５の図１中上下方向の長さと上記内側内壁部１９の図１中上下方向の長さとの比率を変更することで調整することができる。上記緩衝部１５と上記底部１１との間には空間が存在しており、上記緩衝部要素片１５ａ、１５ｂ、１５ｃ、１５ｄはこの空間側に弾性変形することができる。
【００３７】
又、上記緩衝部要素片１５ａ、１５ｂ、１５ｃ、１５ｄ及び上記底部要素片１１ａ、１１ｂ、１１ｃ、１１ｄの切欠部１６ｂ、１６ｄ、１６ｆ、１６ｈは、上記外側側壁部５の内側に当接している。
【００３８】
又、上記内側側壁部１９には小フラップ３１が連設されている。また、上記小フラップ３１の基端部にはヒンジ３２が形成されている。上記小フラップ３１は、上記ヒンジ３２の弾性力により、上記外側側壁部５側に押圧されている。
【００３９】
以上本実施の形態による組立式紙器によると以下のような効果を奏することができる。
まず、緩衝部１５は、底部１１側（図８中下側）に向かって傾斜した緩衝部要素片１５ａ、１５ｂ、１５ｃ、１５ｄから構成されており、上記底部１１側（図８中下側）に向かって先窄まりとなった形状を成しているため、底が平らでない内容物に関してもこれを安定して収容することができる。
又、上記緩衝部１５と上記底部１１との間には空間が存在しており、上記緩衝部要素片１５ａ、１５ｂ、１５ｃ、１５ｄはこの空間側に弾性変形することができるため、内容物を外力や衝撃から保護することができる。
又、外側側壁部５の内側に上記内側側壁部１９が当接して、側壁部は二重になっており、上記緩衝部要素片１５ａ、１５ｂ、１５ｃ、１５ｄ及び底部要素片１１ａ、１１ｂ、１１ｃ、１１ｄの切欠部１６ｂ、１６ｄ、１６ｆ、１６ｈが上記外側側壁部５の内側に当接して組立式紙器１の構造を支えている。そのため、組立式紙器１は潰れにくく頑丈なものとなり、内容物を外力から保護することができる。
又、上記内側側壁部１９に連設された小フラップ３１が、上記ヒンジ３２の弾性力により上記外側側壁部５側に押圧されている。そのため、上記内側側壁部１９の上記外側側壁部５内での「がたつき」を抑えることができる。
又、以上のような効果を奏する組立式紙器１は、前述したように、一枚の紙板３を折り曲げ、のり代７と外側側壁部要素片５ａを接着して筒状にした後、上記内側側壁部１９を押下げ、大フラップ３７、５３及び蓋部４３を閉じるだけで組み立てることができる。そのため、内容物の保護に優れた組立式紙器１を、容易に製作することができる。
【００４０】
尚、本願考案は前記一実施の形態に限定されるものではない。
例えば、前記一実施の形態においては、組立式紙器は略立方体の形状であるが、その他にも、直方体状のものや、四角形以外の多角形形状の横断面形状を持つもの、等様々な形状の組立式紙器が考えられる。
又、上記組立式紙器の組み立て手順も、前記一実施の形態における手順に限られず、例えば、二つ折りにした紙板を、予め図３及び図４に示すように底部と緩衝部の境界及び緩衝部と内側側壁部の境界を折り曲げておき、その後、筒状に折り曲げることも考えられる。
又、各部の形状、寸法、角度等は様々な場合が考えられる。
その他、図示した構成はあくまで一例であり、それに限定されるものではない。
【産業上の利用可能性】
【００４１】
本考案は、内容物を外力や衝撃から保護する緩衝機能を有する組立式紙器に係り、特に、一枚のシートから形成することができ、組み立てが容易で、底部の形状が平面ではない内容物についてもこれを安定して収容することができ、且つ、高い緩衝機能を提供することができるように工夫したものに関し、例えば、電球等の梱包用紙器に好適である。
【符号の説明】
【００４２】
１  組立式紙器
３  紙板
５  外側側壁部
５ａ  外側側壁部要素片
５ｂ  外側側壁部要素片
５ｃ  外側側壁部要素片
５ｄ  外側側壁部要素片
１１  底部
１１ａ  底部要素片
１１ｂ  底部要素片
１１ｃ  底部要素片
１１ｄ  底部要素片
１３ａ  ヒンジ
１３ｂ  ヒンジ
１３ｃ  ヒンジ
１３ｄ  ヒンジ
１５  緩衝部
１５ａ  緩衝部要素片
１５ｂ  緩衝部要素片
１５ｃ  緩衝部要素片
１５ｄ  緩衝部要素片
１９  内側側壁部
１９ａ  内側側壁部要素片
１９ｂ  内側側壁部要素片
１９ｃ  内側側壁部要素片
１９ｄ  内側側壁部要素片
【図１】
0003162463.tif 000003
【図２】
0003162463.tif 000004
【図３】
0003162463.tif 000005
【図４】
0003162463.tif 000006
【図５】
0003162463.tif 000007
【図６】
0003162463.tif 000008
【図７】
0003162463.tif 000009
【図８】
0003162463.tif 000010
【図９】
0003162463.tif 000011
【図１０】
0003162463.tif 000012